(57)【要約】  空気調和装置の室内機は、壁の据付面に据え付けられる筐体と、筐体から室外に繋がる配管と、室内にて露出した配管を覆うカバー部材と、筐体における左右端面に、据付面との境界部を含んでカバー部材の外側断面よりも広く凹んだ凹部と、を備える。
2020129215.tif 000002
【特許請求の範囲】
【請求項１】
壁の据付面に据え付けられる筐体と、
前記筐体から室外に繋がる配管と、
室内にて露出した前記配管を覆うカバー部材と、
前記筐体における左右端面に、前記据付面との境界部を含んで前記カバー部材の外側断面よりも広く凹んだ凹部と、
を備える空気調和装置の室内機。
【請求項２】
前記凹部は、平坦な凹面を有する請求項１に記載の空気調和装置の室内機。
【請求項３】
前記凹部の前記凹面は、前記筐体の左右端面に対して奥行方向に平行である請求項２に記載の空気調和装置の室内機。
【請求項４】
前記カバー部材は、前記凹部の前記凹面に当接する平坦な端面を有する請求項２又は請求項３に記載の空気調和装置の室内機。
【請求項５】
当該室内機は、三尺間の日本家屋に据付自在である請求項１〜請求項４のいずれか１項に記載の空気調和装置の室内機。
【請求項６】
前記凹部は、前記三尺間の日本家屋における前記据付面から突出した柱部に嵌め合い自在である請求項５に記載の空気調和装置の室内機。
【請求項７】
前記筐体を前記据付面に据え付ける据付基板を備え、
前記凹部は、前記据付基板の左右両側外縁から凹む請求項１〜請求項６のいずれか１項に記載の空気調和装置の室内機。
【請求項８】
前記据付基板の左右両側外縁は、前記凹部の凹面と面一である請求項７に記載の空気調和装置の室内機。
【請求項９】
前記筐体における前記凹部以外の左右端面間の長さは、前記据付基板の左右端面間の長さよりも長い請求項７又は請求項８に記載の空気調和装置の室内機。
【請求項１０】
請求項１〜請求項９のいずれか１項に記載の空気調和装置の室内機を備える空気調和装置。
【発明の詳細な説明】
【技術分野】
【０００１】
本発明は、壁の据付面に据え付けられる筐体を備える空気調和装置の室内機及び空気調和装置に関する。
【背景技術】
【０００２】
従来、壁掛け式室内機は、筐体を据付基板を介して室内の壁に設置されていた（たとえば、特許文献１参照）。
【先行技術文献】
【特許文献】
【０００３】
【特許文献１】特許第６１５５７３７号公報
【発明の概要】
【発明が解決しようとする課題】
【０００４】
ここで、室内機の筐体から室外に繋がる配管の一部が室内にて露出する場合がある。このため、室内にて露出した配管を覆うカバー部材が設けられている。【０００５】
一方、日本家屋には、三尺間の部屋があり、三尺間の部屋にて柱部が壁から突出している場合がある。室内機では、内部に大きい室内熱交換器が搭載される方が熱交換効率及び熱交換能力が向上できるため、筐体の左右端面間の長さが長いことが望ましい。しかし、三尺間の日本家屋に対応した室内機の場合には、三尺間の部屋にて壁から突出した柱部を回避する必要がある。このため、室内機の筐体における左右端面に、据付面との境界部を含んで柱部を回避するように凹んだ凹部が形成されている。【０００６】
このような三尺間の日本家屋に対応した室内機が日本家屋の三尺間の柱部が突出しない家屋に据え付けられ、凹部側から配管を引き出し、室内に露出した配管をカバー部材で覆う場合には、カバー部材の外側断面が凹部よりも大きい。このため、現地で室内機を設置する作業者がカバー部品に複雑な加工を施す必要があった。そのため、現地での室内機の設置作業が煩雑になる課題があった。【０００７】
本発明は、上記課題を解決するためのものであり、現地での室内機の設置作業が容易になる空気調和装置の室内機及び空気調和装置を提供することを目的とする。
【課題を解決するための手段】
【０００８】
本発明に係る空気調和装置の室内機は、壁の据付面に据え付けられる筐体と、前記筐体から室外に繋がる配管と、室内にて露出した前記配管を覆うカバー部材と、前記筐体における左右端面に、前記据付面との境界部を含んで前記カバー部材の外側断面よりも広く凹んだ凹部と、を備えるものである。【０００９】
本発明に係る空気調和装置は、上記の空気調和装置の室内機を備えるものである。
【発明の効果】
【００１０】
本発明に係る空気調和装置の室内機及び空気調和装置によれば、筐体における左右端面に、据付面との境界部を含んでカバー部材の外側断面よりも広く凹んだ凹部を備える。これにより、日本家屋の三尺間以外の柱部が突出しない家屋に据え付け、凹部から配管を引き出し、室内に露出した配管をカバー部材で覆う場合に、凹部内にカバー部材が嵌まり込む。このため、現地で室内機を設置する作業者がカバー部品に複雑な加工を施す必要が無い。したがって、現地での室内機の設置作業が容易になる。
【図面の簡単な説明】
【００１１】
【図１】本発明の実施の形態１に係る空気調和装置を示す冷媒回路図である。
【図２】本発明の実施の形態１に係る空気調和装置の室内機を示す外観斜視図である。
【図３】本発明の実施の形態１に係る空気調和装置の室内機を示す分解斜視図である。
【図４】本発明の実施の形態１に係る空気調和装置の室内機を示す上面図である。
【図５】本発明の実施の形態１に係る空気調和装置の意匠パネルを外した室内機を示す上面図である。
【図６】本発明の実施の形態１に係る室内機の図４のＡ１部を拡大して示す上面図である。
【図７】本発明の実施の形態１に係る室内機の図５のＡ２部を拡大して示す上面図である。
【図８】本発明の実施の形態１に係る室内機の図４のＡ１部を下方から見て示す斜視図である。
【図９】本発明の実施の形態１に係る室内機の図４のＡ１部を下方から見て拡大して示す下面図である。
【図１０】本発明の実施の形態１に係る室内に露出した配管を覆うカバー部材を示す斜視図である。
【図１１】本発明の実施の形態１に係る室内に露出したカバー部材で覆った状態の室内機の図４のＡ１部を下方から見て示す下面図である。
【図１２】比較例の室内機を日本家屋の壁から柱部が突出した三尺間に据え付けた状態を示す上面図である。
【図１３】比較例の室内機の図１２のＡ３部を下方から見て示す説明図である。
【図１４】比較例の室内に露出した配管をカバー部材で覆った状態の室内機の図１２のＡ３部を下方から見て示す下面図である。
【発明を実施するための形態】
【００１２】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１３】
実施の形態１．
＜空気調和装置１００の構成＞
図１は、本発明の実施の形態１に係る空気調和装置１００を示す冷媒回路図である。図１に示す空気調和装置１００は、室外機１０１と室内機１０２とをガス冷媒配管１０３及び液冷媒配管１０４によって接続されている。ガス冷媒配管１０３及び液冷媒配管１０４は、室内機１０２の筐体１から室外に繋がっている。
【００１４】
室外機１０１は、圧縮機１０５、四方弁１０６、室外熱交換器１０７及び膨張弁１０８を有する。
【００１５】
圧縮機１０５は、吸入した冷媒を圧縮して吐出する。圧縮機１０５から吐出された冷媒の温度を吐出温度とする。また、圧縮機１０５の吐出配管の表面温度を吐出温度としてもよい。圧縮機１０５は、たとえばインバータ回路などにより、運転周波数を任意に変化させ、圧縮機１０５の単位時間あたりの冷媒を送り出す容量を変化させても良い。
【００１６】
四方弁１０６は、たとえば冷房運転時と暖房運転時とによって冷媒の流れを切り換える弁である。
【００１７】
室外熱交換器１０７は、冷媒と室外の空気との熱交換を行う。室外熱交換器１０７は、冷房運転時に凝縮器として機能し、冷媒を凝縮して液化させる。室外熱交換器１０７は、暖房運転時に蒸発器として機能し、冷媒を蒸発させ、気化させる。
【００１８】
膨張弁１０８は、流量制御弁であり、冷媒を減圧して膨張させる。膨張弁１０８は、たとえば電子式膨張弁などで構成された場合には、図示しない制御装置などの指示に基づいて開度調整を行える。
【００１９】
室内機１０２は、室内熱交換器１０９を有する。室内熱交換器１０９は、たとえば空調対象の空気と冷媒との熱交換を行う。室内熱交換器１０９は、冷房運転時に蒸発器として機能し、冷媒を蒸発させ、気化させる。室内熱交換器１０９は、暖房運転時に凝縮器として機能し、冷媒を凝縮して液化させる。
【００２０】
以上のように空気調和装置１００を構成することにより、室外機１０１の四方弁１０６によって冷媒の流れを切り換え、冷房運転又は暖房運転が実現できる。
【００２１】
＜室内機１０２の構成＞
図２は、本発明の実施の形態１に係る空気調和装置１００の室内機１０２を示す外観斜視図である。図３は、本発明の実施の形態１に係る空気調和装置１００の室内機１０２を示す分解斜視図である。
【００２２】
図２に示すように、室内機１０２は、室内の壁３１の上部の据付面に筐体１を据え付けて固定されている。図２に示す室内機１０２は、上下風向板２によって構成された吹出口が閉じられた運転停止状態である。筐体１には、左右端面のそれぞれに、据付面との境界部を含んで後述するカバー部材２０の外側断面よりも広く凹んだ凹部３が形成されている。
【００２３】
図３に示すように、室内機１０２は、後述する据付基板４と一体化される筐体１を最も後方Ｂに有する。室内機１０２は、筐体１の前方Ｆに送風ファン５を有する。室内機１０２は、送風ファン５を山型に覆うように室内熱交換器１０９を有する。室内機１０２は、室内熱交換器１０９の前方Ｆかつ下方Ｕに、室内熱交換器１０９から滴下したドレン水を受け止めるドレンパン組立体６を有する。
【００２４】
室内機１０２は、送風ファン５、室内熱交換器１０９及びドレンパン組立体６の右方Ｒに、電気品箱７を有する。電気品箱７は、筐体１に組み付けられている。室内機１０２は、送風ファン５、室内熱交換器１０９、ドレンパン組立体６及び電気品箱７の前方Ｆに、これらを覆って筐体１の前面を構成する意匠パネル８を有する。
【００２５】
意匠パネル８の内部には、センサカバー板９が組み付けられている。意匠パネル８には、フィルター１０が取り付けられている。意匠パネル８の前方Ｆには、正面意匠パネル１１が筐体１の正面の意匠を構成するように組み付けられている。
【００２６】
図４は、本発明の実施の形態１に係る空気調和装置１００の室内機１０２を示す上面図である。図５は、本発明の実施の形態１に係る空気調和装置１００の意匠パネル８を外した室内機１０２を示す上面図である。
【００２７】
図４に示すように、室内機１０２は、筐体１を据付面に据え付ける据付基板４を有する。据付基板４の左右両側外縁は、凹部３の凹面３ａと面一である。
【００２８】
図５に示すように、筐体１における凹部３以外の左右端面間の長さは、据付基板４の左右端面間の長さよりも長い。これにより、筐体１の内部に搭載される室内熱交換器１０９の左右方向長さが長くできる。
【００２９】
＜凹部３の構成＞
図２、図４及び図５に示すように、凹部３は、筐体１における左右端面に、据付面との境界部を含んでカバー部材２０の外側断面よりも広く凹んでいる。室内機１０２は、三尺間の日本家屋に据付自在である。そのため、凹部３は、三尺間の日本家屋における据付面から突出した柱部３０に嵌め合い自在である。据付面から突出した柱部３０を有する三尺間の日本家屋は、後述する図１２に示すような室内構成である。つまり、凹部３が筐体１における左右端面のそれぞれに形成されることにより、室内機１０２の据付面との境界部を含む据付部分の左右端面間の長さが突出した２つの柱部３０の間に収まる。
【００３０】
＜凹部３の詳細＞
図６は、本発明の実施の形態１に係る室内機１０２の図４のＡ１部を拡大して示す上面図である。図７は、本発明の実施の形態１に係る室内機１０２の図５のＡ２部を拡大して示す上面図である。図８は、本発明の実施の形態１に係る室内機１０２の図４のＡ１部を下方から見て示す斜視図である。図９は、本発明の実施の形態１に係る室内機１０２の図４のＡ１部を下方から見て拡大して示す下面図である。
【００３１】
図６〜図９に示すように、凹部３は、筐体１における左右端面よりも筐体１の中央側に凹み、前後及び上下の方向に平行で平坦な凹面３ａを有する。凹部３の凹面３ａは、筐体１の左右端面に対して奥行方向に平行である。凹部３は、据付基板４の左右両側外縁から凹んでいる。
【００３２】
＜三尺間対応での筐体１の拡大構造＞
図４及び図５に示すように、筐体１の据付基板４の左右方向長さが室内機１０２の据付時の寸法である。図６に示す前後方向の寸法Ｌの凹部３を形成して三尺間対応に構成することにより、筐体１における凹部３以外の左右端面間の長さは、据付基板４の左右端面間の長さよりも長い。図５及び図７に示すように、筐体１における凹部３以外の左右端面間の長さが長いことにより、室内機１０２の内部に搭載する室内熱交換器１０９の大きさがより大きくできる。これにより、室内熱交換器１０９の熱交換性能及び熱交換能力が向上でき、空気調和装置１００の効率及び能力が向上できる。
【００３３】
＜カバー部材２０の構成＞
図１０は、本発明の実施の形態１に係る室内に露出した配管を覆うカバー部材２０を示す斜視図である。図１０に示すように、カバー部材２０は、四角筒形状である。カバー部材２０は、現地にて、室内機１０２を設置する作業者が室内に露出したガス冷媒配管１０３及び液冷媒配管１０４の長さに合わせて露出したガス冷媒配管１０３及び液冷媒配管１０４を覆う大きさに加工されて用いられる。
【００３４】
＜凹部３とカバー部材２０との関係＞
図１１は、本発明の実施の形態１に係る室内に露出したガス冷媒配管１０３及び液冷媒配管１０４をカバー部材２０で覆った状態の室内機１０２の図４のＡ１部を下方から見て示す下面図である。
【００３５】
図１１に示すように、凹部３は、据付面との境界部を含んでカバー部材２０の前後方向の寸法Ｐである外側断面よりも広く凹んでいる。このため、寸法関係は、寸法Ｐ≦寸法Ｌの関係である。これにより、カバー部材２０は、凹部３の平坦な凹面３ａに当接する平坦な端面２０ａを有する。つまり、カバー部材２０は、現地にて、室内機１０２を設置する作業者が凹部３の平坦な凹面３ａに合わせてカバー部材２０を平坦な端面２０ａに加工される。このため、カバー部材２０には、後述する比較例のような複雑な加工が必要ない。
【００３６】
＜比較例の室内機１０２＞
図１２は、比較例の室内機１０２を日本家屋の壁３１から柱部３０が突出した三尺間に据え付けた状態を示す上面図である。図１３は、比較例の室内機１０２の図１２のＡ３部を下方から見て示す説明図である。図１４は、比較例の室内に露出したガス冷媒配管１０３及び液冷媒配管１０４をカバー部材２０で覆った状態の室内機１０２の図１２のＡ３部を下方から見て示す下面図である。
【００３７】
図１２に示すように、比較例の室内機１０２でも、従来の凹部２０３が三尺間の日本家屋における据付面から突出した柱部３０に嵌め合い自在である。しかし、図１３に示すように、従来の凹部２０３は、三尺間の柱部３０を回避するだけの小さな凹みであった。具体的には、従来の凹部２０３の前後方向の寸法ＯＬは、図９に示す寸法Ｌよりも短く、更には図１１に示す寸法Ｐよりも短い。つまり、これらの寸法関係は、寸法ＯＬ＜寸法Ｐ≦寸法Ｌの関係である。このため、図１４に示すように、室内に露出したガス冷媒配管１０３及び液冷媒配管１０４をカバー部材２０で覆う場合には、完全にこれらの配管が見ないようにしようとすると、カバー部材２０の加工には、従来の凹部２０３とその周囲の境界の段差に合わせた複雑な加工が必要になる。このため、比較例の室内機１０２を設置する作業者がカバー部材２０に複雑な端面加工２０ｂが必要であり、設置作業が煩雑であった。
【００３８】
＜実施の形態１の効果＞
実施の形態１によれば、空気調和装置１００の室内機１０２は、壁３１の据付面に据え付けられる筐体１を備える。室内機１０２は、筐体１から室外に繋がるガス冷媒配管１０３及び液冷媒配管１０４を備える。室内機１０２は、室内にて露出したガス冷媒配管１０３及び液冷媒配管１０４を覆うカバー部材２０を備える。室内機１０２は、筐体１における左右端面に、壁３１の据付面との境界部を含んでカバー部材２０の外側断面よりも広く凹んだ凹部３を備える。
【００３９】
この構成によれば、室内機１０２を日本家屋の三尺間以外の柱部３０が突出しない家屋に据え付け、凹部３からガス冷媒配管１０３及び液冷媒配管１０４を引き出し、室内に露出したガス冷媒配管１０３及び液冷媒配管１０４をカバー部材２０で覆う場合に、凹部３内にカバー部材２０が嵌まり込む。このため、現地で室内機１０２を設置する作業者がカバー部材２０に複雑な端面加工２０ｂを施す必要が無い。したがって、現地での室内機１０２の設置作業が容易になる。また、従来よりも筐体１の凹部３以外の左右端面間の長さが長くでき、室内機１０２の内部に搭載する室内熱交換器１０９の左右方向の長さが長くでき、熱交換効率及び熱交換能力が向上できる。加えて、凹部３が左右端面に形成され、室内機１０２の外観の意匠が損なわれない。
【００４０】
実施の形態１によれば、凹部３は、平坦な凹面３ａを有する。
【００４１】
この構成によれば、現地で室内機１０２を設置する作業者がカバー部材２０に凹部３の平坦な凹面３ａに合わせた加工を施せばよく、現地での室内機１０２の設置作業が容易になる。
【００４２】
実施の形態１によれば、凹部３の凹面３ａは、筐体１の左右端面に対して奥行方向に平行である。
【００４３】
この構成によれば、凹部３が形成されても、室内機１０２の外観の意匠が損なわれない。
【００４４】
実施の形態１によれば、カバー部材２０は、凹部３の凹面３ａに当接する平坦な端面２０ａを有する。
【００４５】
この構成によれば、現地で室内機１０２を設置する作業者がカバー部材２０に凹部３の平坦な凹面３ａに合わせた端面２０ａを平坦にする加工を施せばよく、現地での室内機１０２の設置作業が容易になる。
【００４６】
実施の形態１によれば、室内機１０２は、三尺間の日本家屋に据付自在である。
【００４７】
この構成によれば、三尺間でない家屋及び三尺間の日本家屋のいずれに対しても室内機１０２が据え付けられる。
【００４８】
実施の形態１によれば、凹部３は、三尺間の日本家屋における壁３１の据付面から突出した柱部３０に嵌め合い自在である。
【００４９】
この構成によれば、壁３１の据付面に柱部３０が突出した三尺間の日本家屋にて、室内機１０２が据え付けられる。
【００５０】
実施の形態１によれば、室内機１０２は、筐体１を壁３１の据付面に据え付ける据付基板４を備える。凹部３は、据付基板４の左右両側外縁から凹んでいる。
【００５１】
この構成によれば、三尺間の日本家屋にて据付基板４が据え付けを阻害せず、壁３１の据付面に柱部３０が突出した三尺間の日本家屋にて、室内機１０２が据え付けられる。
【００５２】
実施の形態１によれば、据付基板４の左右両側外縁は、凹部３の凹面３ａと面一である。
【００５３】
この構成によれば、三尺間の日本家屋に対応した室内機１０２において据付基板４が最大限に大きくでき、室内機１０２の据付の強度を確保できる。
【００５４】
実施の形態１によれば、筐体１における凹部３以外の左右端面間の長さは、据付基板４の左右端面間の長さよりも長い。
【００５５】
この構成によれば、従来よりも筐体１の凹部３以外の左右端面間の長さが長くでき、室内機１０２の内部に搭載する室内熱交換器１０９の左右方向の長さが長くでき、熱交換効率及び熱交換能力が向上できる。
【００５６】
実施の形態１によれば、空気調和装置１００は、上記の空気調和装置１００の室内機１０２を備える。
【００５７】
この構成によれば、空気調和装置１００の室内機１０２を備える空気調和装置１００では、現地での室内機１０２の設置作業が容易になる。
【符号の説明】
【００５８】
１  筐体、２  上下風向板、３  凹部、３ａ  凹面、４  据付基板、５  送風ファン、６  ドレンパン組立体、７  電気品箱、８  意匠パネル、９  センサカバー板、１０  フィルター、１１  正面意匠パネル、２０  カバー部材、２０ａ  端面、２０ｂ  端面加工、３０  柱部、３１  壁、１００  空気調和装置、１０１  室外機、１０２  室内機、１０３  ガス冷媒配管、１０４  液冷媒配管、１０５  圧縮機、１０６  四方弁、１０７  室外熱交換器、１０８  膨張弁、１０９  室内熱交換器、２０３  凹部。
【図１】
2020129215.tif 000003
【図２】
2020129215.tif 000004
【図３】
2020129215.tif 000005
【図４】
2020129215.tif 000006
【図５】
2020129215.tif 000007
【図６】
2020129215.tif 000008
【図７】
2020129215.tif 000009
【図８】
2020129215.tif 000010
【図９】
2020129215.tif 000011
【図１０】
2020129215.tif 000012
【図１１】
2020129215.tif 000013
【図１２】
2020129215.tif 000014
【図１３】
2020129215.tif 000015
【図１４】
2020129215.tif 000016
【手続補正書】
【提出日】令和2年12月14日(2020.12.14)
【手続補正１】
【補正対象書類名】明細書
【補正対象項目名】０００８
【補正方法】変更
【補正の内容】
【０００８】
本発明に係る空気調和装置の室内機は、壁の据付面に据え付けられる筐体と、前記筐体から室外に繋がる配管と、室内にて露出した前記配管を覆うカバー部材と、前記筐体における左右端面に、前記据付面との境界部を含んで前記カバー部材の外側断面よりも広く凹んだ凹部と、前記筐体を前記据付面に据え付ける据付基板と、を備え、前記凹部は、平坦な凹面を有し、前記据付基板の左右両側外縁は、前記凹部の凹面と面一である。
【手続補正２】
【補正対象書類名】特許請求の範囲
【補正対象項目名】全文
【補正方法】変更
【補正の内容】
【特許請求の範囲】
【請求項１】
壁の据付面に据え付けられる筐体と、
前記筐体から室外に繋がる配管と、
室内にて露出した前記配管を覆うカバー部材と、
前記筐体における左右端面に、前記据付面との境界部を含んで前記カバー部材の外側断面よりも広く凹んだ凹部と、
前記筐体を前記据付面に据え付ける据付基板と、
を備え、
前記凹部は、平坦な凹面を有し、
前記据付基板の左右両側外縁は、前記凹部の凹面と面一である空気調和装置の室内機。
【請求項２】
前記凹部の前記凹面は、前記筐体の左右端面に対して奥行方向に平行である請求項１に記載の空気調和装置の室内機。
【請求項３】
前記カバー部材は、前記凹部の前記凹面に当接する平坦な端面を有する請求項１又は請求項２に記載の空気調和装置の室内機。
【請求項４】
前記筐体における前記凹部以外の左右端面間の長さは、前記据付基板の左右端面間の長さよりも長い請求項１〜請求項３のいずれか１項に記載の空気調和装置の室内機。
【請求項５】
請求項１〜請求項４のいずれか１項に記載の空気調和装置の室内機を備える空気調和装置。
【国際調査報告】
2020129215.tif 000017
2020129215.tif 000018
2020129215.tif 000019
2020129215.tif 000020